【手続補正書】
【提出日】平成20年7月24日(2008.7.24)
【手続補正１】
【補正対象書類名】特許請求の範囲
【補正対象項目名】全文
【補正方法】変更
【補正の内容】
【特許請求の範囲】
【請求項１】
被写体を撮像して第１の画像データ及び第２の画像データを同時に取得する撮像手段と、
前記第１の画像データを一時的に保持するメモリと、
前記第２の画像データを用いて被写体が所定の条件を満たしているか分析する分析手段と、
前記第２の画像データを記録媒体に記録する記録手段とを有し、
前記第２の画像データは動画であり、前記第１の画像データは前記第２の画像データと比較して高解像度及び多階調の少なくともいずれかであって、
前記分析手段が前記第２の画像データを用いて分析を行った結果、被写体が前記所定の条件を満たしていれば前記メモリに保持された前記第１の画像データを記録媒体へ記録し、被写体が前記所定の条件を満たしていなければ前記メモリに保持された前記第１の画像データを記録媒体へ記録しないことを特徴とする撮像装置。
【請求項２】
前記分析手段が前記第２の画像データを用いて分析を行った結果、被写体が前記所定の条件を満たしていなければ前記メモリに保持された前記第１の画像データを破棄することを特徴とする請求項１に記載の撮像装置。
【請求項３】
前記分析手段は、前記第２の画像データに対して人物検知、個人識別、表情認識、形状識別の少なくともいずれかの処理を実行することを特徴とする請求項１又は２に記載の撮像装置。
【請求項４】
被写体を撮像して第１の画像データ及び第２の画像データを同時に取得する撮像手段と、
前記第１の画像データを一時的に保持するメモリと、
前記第２の画像データを用いて被写体が所定の条件を満たしているか分析する分析手段と、
前記第２の画像データを記録媒体に記録する記録手段と、
前記第２の画像データが前記所定の条件を満たすときにその旨を通知する通知手段と、
前記通知手段による通知の後に、前記所定の条件を満たす第２の画像データと同時に取得された第１の画像データを記録媒体に記録するか否かを選択させる選択手段とを有し、
前記第２の画像データは動画であり、前記第１の画像データは前記第２の画像データと比較して高解像度及び多階調の少なくともいずれかであって、
前記選択手段により前記第１の画像データを記録することが選択されれば前記メモリに保持された前記第１の画像データを記録媒体へ記録し、前記選択手段により前記第１の画像データを記録することが選択されなければ前記メモリに保持された前記第１の画像データを記録媒体へ記録しないことを特徴とする撮像装置。
【請求項５】
前記選択手段により前記第１の画像データを記録することが選択されなければ前記メモリに保持された前記第１の画像データを破棄することを特徴とする請求項４に記載の撮像装置。
【請求項６】
被写体を撮像して第１の画像データ及び第２の画像データを同時に取得する工程と、
前記第１の画像データをメモリに一時的に保持する工程と、
前記第２の画像データを用いて被写体が所定の条件を満たしているか分析する工程と、
前記第２の画像データを記録媒体に記録する工程とを有し、
前記第２の画像データは動画であり、前記第１の画像データは前記第２の画像データと比較して高解像度及び多階調の少なくともいずれかであって、
前記第２の画像データを用いて分析を行った結果、被写体が前記所定の条件を満たしていれば前記メモリに保持された前記第１の画像データを記録媒体へ記録し、被写体が前記所定の条件を満たしていなければ前記メモリに保持された前記第１の画像データを記録媒体へ記録しないことを特徴とする撮像方法。
【請求項７】
被写体を撮像して第１の画像データ及び第２の画像データを同時に取得する工程と、
前記第１の画像データをメモリに一時的に保持する工程と、
前記第２の画像データを用いて被写体が所定の条件を満たしているか分析する工程と、
前記第２の画像データを記録媒体に記録する工程と、
前記第２の画像データが前記所定の条件を満たすときにその旨を通知する工程と、
前記通知の後に、前記所定の条件を満たす第２の画像データと同時に取得された第１の画像データを記録媒体に記録するか否かを選択させる工程とを有し、
前記第２の画像データは動画であり、前記第１の画像データは前記第２の画像データと比較して高解像度及び多階調の少なくともいずれかであって、
前記通知の後に、前記第１の画像データを記録することが選択されたならば前記メモリに保持された前記第１の画像データを記録媒体へ記録し、前記第１の画像データを記録することが選択されなければ前記メモリに保持された前記第１の画像データを記録媒体へ記録しないことを特徴とする撮像方法。
【請求項８】
請求項６又は７に記載の撮像方法をコンピュータに実行させるためのプログラム。
【請求項９】
請求項８に記載のプログラムを記憶したことを特徴とするコンピュータ可読記憶媒体。
【手続補正２】
【補正対象書類名】明細書
【補正対象項目名】００１１
【補正方法】変更
【補正の内容】
【００１１】
上記課題を解決し、目的を達成するために、本発明の撮像装置は、被写体を撮像して第１の画像データ及び第２の画像データを同時に取得する撮像手段と、前記第１の画像データを一時的に保持するメモリと、前記第２の画像データを用いて被写体が所定の条件を満たしているか分析する分析手段と、前記第２の画像データを記録媒体に記録する記録手段とを有し、前記第２の画像データは動画であり、前記第１の画像データは前記第２の画像データと比較して高解像度及び多階調の少なくともいずれかであって、前記分析手段が前記第２の画像データを用いて分析を行った結果、被写体が前記所定の条件を満たしていれば前記メモリに保持された前記第１の画像データを記録媒体へ記録し、被写体が前記所定の条件を満たしていなければ前記メモリに保持された前記第１の画像データを記録媒体へ記録しない。
本発明の撮像装置は、被写体を撮像して第１の画像データ及び第２の画像データを同時に取得する撮像手段と、前記第１の画像データを一時的に保持するメモリと、前記第２の画像データを用いて被写体が所定の条件を満たしているか分析する分析手段と、前記第２の画像データを記録媒体に記録する記録手段と、前記第２の画像データが前記所定の条件を満たすときにその旨を通知する通知手段と、前記通知手段による通知の後に、前記所定の条件を満たす第２の画像データと同時に取得された第１の画像データを記録媒体に記録するか否かを選択させる選択手段とを有し、前記第２の画像データは動画であり、前記第１の画像データは前記第２の画像データと比較して高解像度及び多階調の少なくともいずれかであって、前記選択手段により前記第１の画像データを記録することが選択されれば前記メモリに保持された前記第１の画像データを記録媒体へ記録し、前記選択手段により前記第１の画像データを記録することが選択されなければ前記メモリに保持された前記第１の画像データを記録媒体へ記録しない。
【手続補正３】
【補正対象書類名】明細書
【補正対象項目名】００１２
【補正方法】変更
【補正の内容】
【００１２】
また、本発明の撮像方法は、被写体を撮像して第１の画像データ及び第２の画像データを同時に取得する工程と、前記第１の画像データをメモリに一時的に保持する工程と、前記第２の画像データを用いて被写体が所定の条件を満たしているか分析する工程と、前記第２の画像データを記録媒体に記録する工程とを有し、前記第２の画像データは動画であり、前記第１の画像データは前記第２の画像データと比較して高解像度及び多階調の少なくともいずれかであって、前記第２の画像データを用いて分析を行った結果、被写体が前記所定の条件を満たしていれば前記メモリに保持された前記第１の画像データを記録媒体へ記録し、被写体が前記所定の条件を満たしていなければ前記メモリに保持された前記第１の画像データを記録媒体へ記録しない。
本発明の撮像方法は、被写体を撮像して第１の画像データ及び第２の画像データを同時に取得する工程と、前記第１の画像データをメモリに一時的に保持する工程と、前記第２の画像データを用いて被写体が所定の条件を満たしているか分析する工程と、前記第２の画像データを記録媒体に記録する工程と、前記第２の画像データが前記所定の条件を満たすときにその旨を通知する工程と、前記通知の後に、前記所定の条件を満たす第２の画像データと同時に取得された第１の画像データを記録媒体に記録するか否かを選択させる工程とを有し、前記第２の画像データは動画であり、前記第１の画像データは前記第２の画像データと比較して高解像度及び多階調の少なくともいずれかであって、前記通知の後に、前記第１の画像データを記録することが選択されたならば前記メモリに保持された前記第１の画像データを記録媒体へ記録し、前記第１の画像データを記録することが選択されなければ前記メモリに保持された前記第１の画像データを記録媒体へ記録しない。